(57)【特許請求の範囲】
【請求項１】
液体が収納されたカートリッジが容器内に入れられ、容器上端に取り付けられたポンプ部材の液体吸上げ用のチューブがカートリッジの上端に突き刺さり、ポンプ部材の上下動作により液体を注出するようにした液体注出装置において、前記容器はカートリッジを収納するために筒状で下端が閉じられた内側容器本体と、この内側容器本体の上端より被さり内側容器本体の外面の雄ねじ部に螺合する雌ねじ部が内面に形成された外側容器本体とからなり、前記ポンプ部材は外側容器本体の上端口部に取り付けられて、このポンプ部材の液体吸上げ用のチューブが内側容器本体に収納されたカートリッジの上端に突き刺さるように構成され、前記カートリッジは下端の底部材と、上端のリング部材と、前記リング部材および底部材に上下両端部が接合され合成樹脂製フィルムを含む材料からなる可撓性フィルムにより筒状となるように形成された胴部を備え、前記上端のリング部材は胴部の上端内面が外面に重なり胴部と接合される筒状の上端支持部とこの上端支持部の上端に一体に形成され上端支持部および胴部の外径よりも大きく胴部よりも外側に張り出すリング状の鍔部と、この鍔部の下面に鍔部の周方向等間隔おき複数箇所に形成された係止片とを備えており、前記底部材、リング部材および胴部で形成されるカートリッジの内部に液体が収納された状態で上端のリング部材の鍔部上面に合成樹脂製フィルムを含む材料からなり前記チューブが突き刺さる蓋シートが接合されており、前記内側容器本体の上端外面には周方向等間隔おき複数箇所に前記カートリッジの係止片を係止させる突出片が形成されていることを特徴とする液体注出装置。
【発明の詳細な説明】
【技術分野】
【０００１】
本発明は、液体が収納されたカートリッジが容器内に入れられ、ポンプ部材の液体吸上げ用のチューブが突き刺さり、ポンプ部材の上下動作により液体を注出するようにした液体注出装置に関するものである。
【背景技術】
【０００２】
従来のこの種液体注出装置としては例えば特許文献１に開示されているように、下方に突出するチューブを備えたポンプ部材を上端に設けてなる容器内に内部に洗剤などの液体が収納される液体収納袋が入れられ、液体収納袋の上端のフイルムを前記チューブにより突き刺し、ポンプ部材の上下動作により液体を注出するようにした液体注出装置が知られている。
【先行技術文献】
【特許文献】
【０００３】
【特許文献１】特開平７−１７２４６６号公報
【発明の概要】
【発明が解決しようとする課題】
【０００４】
そして、上記特許文献１に開示されている液体収納袋は、合成樹脂材料を用いてブロー成型などにより筒状に作られているものであって、ポンプ部材の上下動作により液体収納袋内部が減圧され、袋の厚みが薄い場合であると袋内部の減圧により袋がチューブに密着するように皺が寄った状態で変形し袋内部の液体が殆んどポンプ部材のノズルから抽出されるのであるが、袋の厚みが厚い場合であるとポンプ部材の上下動作により液体収納袋内部が減圧されても袋が変形しにくく、袋の底部に液体が残りやすいという問題がある。
【０００５】
そこで、ポンプ部材の上下動作により袋内部の液体を殆んど残らずポンプ部材のノズルから取り出すには袋の厚みを薄くすれば良いが、袋の厚みを薄くすれば袋の底部の形も簡単に変形し、袋の上部や底部の形を安定させるために上端に合成樹脂製のリング部材を、下端に合成樹脂製の逆皿状の底部材を設ければ良い。このようなリング部材や底部材を備え内部に液体が収納された液体収納袋、所謂カートリッジを容器に入れ、ポンプ部材の上下動作によりカートリッジ内部の液体をポンプ部材のノズルから抽出するのであるが、カートリッジ内部の液体を使い切った状態においてカートリッジ内部の減圧によりカートリッジ（袋）のフィルムがチューブに密着するように皺が寄り縮まった状態で変形することになる。
【０００６】
前述のように上端にリング部材を備えるとともに、下端に底部材を備えてカートリッジの袋を厚みが薄く変形しやすいフィルムで作ったカートリッジを用いると、液体が抽出されて使い切ったカートリッジからポンプ部材のチューブを引き抜くとき、カートリッジのフィルムがチューブに密着した状態にあるため、カートリッジからポンプ部材のチューブを引き抜くのに手間がかかるという問題があった。
【０００７】
本発明の目的は、このような課題を解決するものであり、液体が収納されるカートリッジが容器内に入れられ、ポンプ部材の液体吸上げ用のチューブが突き刺さり、ポンプ部材の上下動作により液体を注出するようにした液体注出装置において、カートリッジからのポンプ部材のチューブの引き抜きを容易に行なえるようにした液体注出装置を提供することにある。
【課題を解決するための手段】
【０００８】
本発明の請求項１に記載の液体注出装置は、液体が収納されたカートリッジが容器内に入れられ、容器上端に取り付けられたポンプ部材の液体吸上げ用のチューブがカートリッジの上端に突き刺さり、ポンプ部材の上下動作により液体を注出するようにした液体注出装置において、前記容器はカートリッジを収納するために筒状で下端が閉じられた内側容器本体と、この内側容器本体の上端より被さり内側容器本体の外面の雄ねじ部に螺合する雌ねじ部が内面に形成された外側容器本体とからなり、前記ポンプ部材は外側容器本体の上端口部に取り付けられて、このポンプ部材の液体吸上げ用のチューブが内側容器本体に収納されたカートリッジの上端に突き刺さるように構成され、前記カートリッジは下端の底部材と、上端のリング部材と、前記リング部材および底部材に上下両端部が接合され合成樹脂製フィルムを含む材料からなる可撓性フィルムにより筒状となるように形成された胴部を備え、前記上端のリング部材は胴部の上端内面が外面に重なり胴部と接合される筒状の上端支持部とこの上端支持部の上端に一体に形成され上端支持部および胴部の外径よりも大きく胴部よりも外側に張り出すリング状の鍔部と、この鍔部の下面に鍔部の周方向等間隔おき複数箇所に形成された係止片とを備えており、前記底部材、リング部材および胴部で形成されるカートリッジの内部に液体が収納された状態で上端のリング部材の鍔部上面に合成樹脂製フィルムを含む材料からなり前記チューブが突き刺さる蓋シートが接合されており、前記内側容器本体の上端外面には周方向等間隔おき複数箇所に前記カートリッジの係止片を係止させる突出片が形成されていることを特徴とする。
【発明の効果】
【０００９】
以上のように、本発明の液体注出装置は、カートリッジが使い終わった状態となると、そのとき、カートリッジの上端は内側容器本体の上端に係止してカートリッジは内側容器本体側と結合された状態にあるので、外側容器本体を内側容器本体から外す方向に回すことにより外側容器本体は内側容器本体から上昇し、同時にポンプ部材のチューブもカートリッジから抜け出る方向に上昇してポンプ部材からチューブを容易に引き抜くことができるようになる。
【図面の簡単な説明】
【００１０】
【図１】本発明の一実施の形態におけるカートリッジの分解斜視図である。
【図２】同カートリッジの完成斜視図である。
【図３】同カートリッジを内側容器本体にセットする状態を示す斜視図である。
【図４】同カートリッジを内側容器本体にセットした状態を示す斜視図である。
【図５】同カートリッジを容器にセットし使用可能な状態を示す斜視図である。
【図６】同カートリッジを容器にセットし使用可能な状態を示す断面図である。
【図７】同カートリッジのフィルムがチューブに密着した状態を示す断面図である。
【図８】同使用後のカートリッジからチューブを引き抜く状態を示す断面図である。
【図９】同使用後のカートリッジからチューブを引き抜いた状態における内側容器本体側の斜視図である。
【発明を実施するための形態】
【００１１】
以下、本発明の一実施の形態を、図１〜図９を用いて具体的に説明する。
図において、１は化粧液などの液体を収納するカートリッジであり、このカートリッジ１は合成樹脂材料からなる外径が円形の下端の底部材２と、同じく合成樹脂材料からなる外径が円形の上端のリング部材３と、前記リング部材３および底部材２に上下両端部が接合され合成樹脂製の可撓性フィルムにより筒状となるように形成された胴部４を備えている。詳しくは、前記底部材２は底板部２ａと、この底板部２ａの周囲に下向きに一体に形成され胴部４の下端内面が外面に重なり胴部４と接合される筒状の下端支持部２ｂとを備え、前記上端のリング部材３は胴部４の上端内面が外面に重なり胴部４と接合される筒状の上端支持部３ａを有するとともにこの上端支持部３ａの上端に一体に形成され上端支持部３ａおよび胴部４の外径よりも大きく胴部４よりも外側に張り出すリング状の鍔部３ｂと、このリング状の鍔部３ｂの下面に形成され鍔部３ｂの周方向等間隔おきに複数箇所、図面に示す実施の形態では鍔部３ｂの周方向の対向する２箇所に同一方向に向く逆Ｌ型もしくはＬ型の係止片３ｃ，３ｃとを備えている。前記胴部４はチューブ状に成型されたものを使用しても良いが、シート状のものを下端支持部２ｂおよび上端支持部３ａに巻き付けて接合させるようにして円筒状に形作っても良い。
【００１２】
このように底部材２、リング部材３および胴部４で形成されるカートリッジ１の内部に液体が収納され、上端のリング部材３の鍔部３ｂ上面に合成樹脂フィルムからなる蓋シート５が接合される。
【００１３】
上記のように液体が収納されたカートリッジ１は、上端に液体注出用のポンプ部材６を備えた容器７内にセットされるものである。前記容器７はカートリッジ１を収納するために筒状で下端が閉じられた合成樹脂製の内側容器本体８と、この内側容器本体８の上端より下端近傍に亘る範囲で被さり内側容器本体８の下端近傍外面の雄ねじ部８ａに螺合する雌ねじ部９ａが下端内面に形成された合成樹脂製の外側容器本体９とからなり、この外側容器本体９の上端口部９ｂに液体抽出部となる前記ポンプ部材６が取り付けられ、このポンプ部材６から下方に突出し下端が先鋭に形成された液体吸上げ用のチューブ１０の下端が前記カートリッジ１の上端の蓋シート５に突き刺さり、カートリッジ１内に位置するように構成されている。１１はチューブ１０により吸上げられた液体を抽出するために前記ポンプ部材６に設けられた液体抽出口となるノズルである。さらに、前記内側容器本体８の上端外面には周方向の対向する２箇所に前記カートリッジ１の係止片３ｃ，３ｃを係止させる突出片８ｂ，８ｂが形成されている。
【００１４】
上記構成において、内側容器本体８内にカートリッジ１が収納され、セットされる。そのとき、カートリッジ１を内側容器本体８の上端より挿入して鍔部３ｂを内側容器本体８の上端に載せ、カートリッジ１を回して係止片３ｃ，３ｃを内側容器本体８の突出片８ｂ，８ｂに係止させる。そして、内側容器本体８に係止させてセットされたカートリッジ１の蓋シート５にポンプ部材６のチューブ１０を突き刺し、外側容器本体９を内側容器本体８に螺合させて結合させることにより、カートリッジ１内の液体を抽出可能な状態となる。
【００１５】
そして、カートリッジ１内の液体を抽出するときは前記ポンプ部材６を押し下げた後、上に戻すことにより前記チューブ１０でカートリッジ１内の液体が吸上げられ、その動作を数回繰り返すことにより前記ノズル１１から液体が断続的に抽出されるものである。
【００１６】
カートリッジ１内の液体が残り少なくなるにつれてカートリッジ１内の空気が抜かれてカートリッジ１内が徐々に真空状態に近づき、カートリッジ１を構成する胴部４のフィルムは縮んでチューブ１０に密着するようになる。カートリッジ１の胴部４のフィルムが縮んで下部に集まった内部の少量の液体はポンプ部材６の操作によりノズル１１から少しづつ抽出される。ポンプ部材６を操作してもカートリッジ１内の液体が出なくなると、カートリッジ１は使い終わった状態となり、カートリッジ１を容器７から取り出して捨てることになる。その状態においてカートリッジ１の胴部４のフィルムは図７に示すように縮み、カートリッジ１の上下寸法は収縮した状態で、カートリッジ１の上端は内側容器本体８の上端に係止した状態にあり、かかる状態で外側容器本体９を内側容器本体８から外す方向に回すことにより外側容器本体９は内側容器本体８から上昇し、同時にポンプ部材６のチューブ１０もカートリッジ１から抜け出る方向に上昇してポンプ部材６からチューブ１０を容易に引き抜くことができるようになる。カートリッジ１からチューブ１０から抜け出ると、カートリッジ１の係止片３ｃ，３ｃと内側容器本体８の突出片８ｂ，８ｂとの係止を外す方向にカートリッジ１を回し、カートリッジ１を内側容器本体８から取り出して捨てれば良い。
【００１７】
ところで、図面に示す実施の形態では底部材２およびリング部材３は外径が円形であるが、角形であっても良く、それに応じて胴部４の形も決定する。
また、前記内側容器本体８にカートリッジ１を収納した状態でカートリッジ１の上端を係止させる前記係止片３ｃおよび突出片８ｂの形は図面に示す実施の形態に限定されるものではない。
【００１８】
さらに、前記胴部４および蓋シート５は合成樹脂製フィルムの積層フィルムで作られていても良いが、合成樹脂製フィルムとアルミ箔との積層フィルムなどで作られていても良い。
【産業上の利用可能性】
【００１９】
本発明の液体注出装置は、液体が収納されるカートリッジが容器内に入れられ、ポンプ部材の液体吸上げ用のチューブが突き刺さり、ポンプ部材の上下動作により液体を注出するようにした液体注出装置である。
【符号の説明】
【００２０】
１      カートリッジ
２      底部材
２ａ    底板部
２ｂ    下端支持部
３      リング部材
３ａ    上端支持部
３ｂ    鍔部
３ｃ    係止片
４      胴部
５      蓋シート
６      ポンプ部材
７      容器
８      内側容器本体
８ａ    雄ねじ部
８ｂ    突出片
９      外側容器本体
９ａ    雌ねじ部
９ｂ    上端口部
１０      チューブ
１１      ノズル
【図１】
0005383402.tif 000002
【図２】
0005383402.tif 000003
【図３】
0005383402.tif 000004
【図４】
0005383402.tif 000005
【図５】
0005383402.tif 000006
【図６】
0005383402.tif 000007
【図７】
0005383402.tif 000008
【図８】
0005383402.tif 000009
【図９】
0005383402.tif 000010